(57)【特許請求の範囲】
【請求項１】
並列された一対のベース部、
前記一対のベース部間に設けられ、前記一対のベース部を互いに揺動可能に接続するための薄肉状のヒンジ部、
前記一対のベース部の各々に設けられ、開閉することが可能な一対のリング部、
前記一対のリング部の先端に設けられ、前記一対のリング部の先端を係合するための係合部、
前記一対のベース部のうちの一方のベース部に形成され、折り曲げ可能な表紙を備えるファイル・バインダ類の表紙に取り付け可能に形成される取付部、および
前記一方のベース部および前記取付部間に形成され、リング部を閉じた状態において前記一方のベース部に対して前記取付部を折り曲げ可能にするための折曲部を含む、合成樹脂で一体成形された綴じ部材と、
前記綴じ部材の前記一対のベース部に設けられ、前記一対のベース部を付勢するためのばね部材とを含む、綴じ具。
【請求項２】
前記綴じ部材は、前記一対のベース部に一体的に設けられ、前記一方のリング部の先端が他方のリング部の先端を飛び越して閉じないように、前記一対のベース部の動きを規制するためのストッパ部を含む、請求項１に記載の綴じ具。
【請求項３】
前記綴じ部材は、前記一対のベース部に一体的に設けられ、前記ばね部材に当接して前記ばね部材から前記一対のベース部を保護するための保護部を含む、請求項１または請求項２に記載の綴じ具。
【発明の詳細な説明】
【技術分野】
【０００１】
この発明は、綴じ具に関し、特に開閉することができるリング状のリング部を有し、さらに、ファイル・バインダ類の表紙に取り付けられる取付部を有し、たとえば書類等の被綴じ物をリング部に綴じることができる綴じ具に関する。
【背景技術】
【０００２】
この発明の背景となる従来のリングバインダー機構が、たとえば特表２００２−５０２７２８号公報に開示されている（特許文献１参照）。特許文献１に開示されているリングバインダー機構は、少なくとも二つのリングを備え、各々のリングは二つのリング部材を含むとともに、当該リング部材は旋回可能にパッドに止められており、当該リング部材が閉じた端部位置では、リング部材の端部領域は互いに接触している構成のリングバインダー機構であって、前記リング部材は、プラスチック材から作られるとともに、ヒンジ部材を介してパッドに止められていることを特徴とするリングバインダー機構である。
また、この発明の背景となる従来の綴具が、たとえば登録実用新案第３１１２７２２号公報に開示されている（特許文献２参照）。特許文献２に開示されている綴具は、固定基板と、薄肉連結部を介して該固定基板と連結され且つ該薄肉連結部を回転中心軸として廻動自在の可動基板とを含み、固定基板及び可動基板の一方には自由端を有する複数の閉じ部材を設け、固定基板及び可動基板の他方には、前記閉じ部材と相対し且つ係合可能な受け部を設け、前記固定基板あるいは可動基板の前記薄肉連結部を含む一部分を、前記薄肉連結部を回転中心軸として廻動自在であり且つ吊り下げ用手段を有する嵌め込みタブとした綴具である。
【先行技術文献】
【特許文献】
【０００３】
【特許文献１】特表２００２−５０２７２８号公報
【特許文献２】登録実用新案第３１１２７２２号公報
【発明の概要】
【発明が解決しようとする課題】
【０００４】
特許文献１に開示されているリングバインダー機構において、各々のリングが二つのリング部材を含むとともに、パッドやヒンジ部材も必要であって、部品点数が多いので、組み立てコストが高い。さらに、特許文献１に開示されているリングバインダー機構において、リングを開く際に、二つのリング部材が開く方向に二つのリング部材を旋回する必要がある。
また、特許文献２に開示されている綴具において、閉じ部材を開く際に、閉じ部材が開く方向に可動基板を廻動する必要がある。さらに、特許文献２に開示されている綴具において、閉じ部材に綴じた被綴じ物を、閉じ部材の形状に沿って３６０度広げること、すなわち閉じ部材の形状に沿って開くだけでなく折り返して一部の被綴じ物の表面側を残りの被綴じ物の裏面側と重ねることはできなかった。そのため、この綴具を用いたファイル・バインダーは、ファイル・バインダーの表紙を１８０度開いたスペースの半分のスペースで活用することができない。
【０００５】
それゆえに、この発明の主たる目的は、部品点数が少なく、リング部が開きやすく、しかも、ファイル・バインダ類の表紙を１８０度開いたスペースの半分のスペースで活用することができるファイル・バンダーの綴じ具として用いることができる、綴じ具を提供することである。
【課題を解決するための手段】
【０００６】
この発明にかかる綴じ具は、並列された一対のベース部、前記一対のベース部間に設けられ、前記一対のベース部を互いに揺動可能に接続するための薄肉状のヒンジ部、前記一対のベース部の各々に設けられ、開閉することが可能な一対のリング部、前記一対のリング部の先端に設けられ、前記一対のリング部の先端を係合するための係合部、前記一対のベース部のうちの一方のベース部に形成され、折り曲げ可能な表紙を備えるファイル・バインダ類の表紙に取り付け可能に形成される取付部、および前記一方のベース部および前記取付部間に形成され、リング部を閉じた状態において前記一方のベース部に対して前記取付部を折り曲げ可能にするための折曲部を含む、合成樹脂で一体成形された綴じ部材と、前記綴じ部材の前記一対のベース部に設けられ、前記一対のベース部を付勢するためのばね部材とを含む、綴じ具である。
この発明の請求項２にかかる綴じ具においては、前記綴じ部材は、前記一対のベース部に一体的に設けられ、前記一方のリング部の先端が他方のリング部の先端を飛び越して閉じないように、前記一対のベース部の動きを規制するためのストッパ部を含む、請求項１に記載の綴じ具である。
この発明の請求項３にかかる綴じ具においては、前記綴じ部材は、前記一対のベース部に一体的に設けられ、前記ばね部材に当接して前記ばね部材から前記一対のベース部を保護するための保護部を含む、請求項１または請求項２に記載の綴じ具である。
【発明の効果】
【０００７】
この発明にかかる綴じ具によれば、並列された一対のベース部、前記一対のベース部間に設けられ、前記一対のベース部を互いに揺動可能に接続するための薄肉状のヒンジ部、前記一対のベース部の各々に設けられ、開閉することが可能な一対のリング部、前記一対のリング部の先端に設けられ、前記一対のリング部の先端を係合するための係合部、前記一対のベース部のうちの一方のベース部に形成され、折り曲げ可能な表紙を備えるファイル・バインダ類の表紙に取り付け可能に形成される取付部、および前記一方のベース部および前記取付部間に形成され、リング部を閉じた状態において前記一方のベース部に対して前記取付部を折り曲げ可能にするための折曲部を含む、合成樹脂で一体成形された綴じ部材と、前記綴じ部材の前記一対のベース部に設けられ、前記一対のベース部を付勢するためのばね部材とを含んでいるので、部品点数が少なく、リング部が開きやすく、しかも、ファイル・バインダ類の表紙を１８０度開いたスペースの半分のスペースで活用することができる。
この発明の請求項２にかかる綴じ具によれば、前記綴じ部材は、前記一対のベース部に一体的に設けられ、前記一方のリング部の先端が他方のリング部の先端を飛び越して閉じないように、前記一対のベース部の動きを規制するためのストッパ部を含んでいるので、前記一方のリング部の先端が他方のリング部の先端を飛び越して閉じることがない。
この発明の請求項３にかかる綴じ具によれば、前記綴じ部材は、前記一対のベース部に一体的に設けられ、前記ばね部材に当接して前記ばね部材から前記一対のベース部を保護するための保護部を含んでいるので、ばね部材の作用によりベース部が損傷することがない。
【０００８】
この発明の上述の目的、その他の目的、特徴および利点は、図面を参照して行う以下の発明を実施するための形態の説明から一層明らかとなろう。
この発明の説明において、ファイルの表紙に取り付けられた綴じ具における手前側を前側または下側といい、向こう側を後側または上側という。また、ファイルの表紙に取り付けられた綴じ具における高さ方向において上側を上または上側といい、下側を下または下側という。
【図面の簡単な説明】
【０００９】
【図１】本発明にかかる一実施の形態である綴じ具を用いたファイル・バインダ類の一例を示す斜視図解図である。
【図２】綴じ具の斜視図解図である。
【図３】開いた状態における綴じ具の平面図解図である。
【図４】図３Ａ−Ａ断面図解図である。
【図５】図３Ｂ−Ｂ断面図解図である。
【図６】図３Ｃ−Ｃ断面図解図である。
【図７】図３Ｄ−Ｄ断面図解図である。
【図８】図３Ｅ−Ｅ断面図解図である。
【図９Ａ】閉じた状態における綴じ具の平面図解図である。
【図９Ｂ】表紙の綴じ具固定部の平面図解図である。
【図１０】図９Ｂ1−Ｂ1断面図解図である。
【図１１】図９Ｃ1−Ｃ1断面図解図である。
【図１２】図９Ｄ1−Ｄ1断面図解図である。
【図１３】図９Ｅ1−Ｅ1断面図解図である。
【図１４】リング部の閉じた状態から開く状態を示す平面図解図であり、（Ａ）は閉じた状態の図で、（Ｂ）は開き始めるときの状態の図で、（Ｃ）は開いた状態の図である。
【図１５】開いた状態におけるリング部の係止部を示す平面図解図であり、（Ａ）は第１リング部を示す図であり、（Ｂ）は第２リング部を示す図である。
【図１６】取付部を表紙に取り付ける状態における取付部と表紙を示す図解図であり、（Ａ）は斜視図解図であり、（Ｂ）（Ｃ）は断面図解図である。
【図１７】ばねを示す図解図であり、（Ａ）はベース部に固定する前の状態における平面図解図であり、（Ｂ）はベース部に固定する前の状態における側面図解図であり、（Ｃ）はベース部に固定する方法を示すベース部に固定する前の状態における正面図解図であり、（Ｄ）はリングを閉じた状態における正面図解図である。
【図１８】リング部を開いた状態におけるリング部近傍を示す正面図解図である。
【図１９】リング部を閉じた状態におけるリング部近傍を示す正面図解図である。
【図２０】作動状態を示す正面断面図解図である。
【図２１】作動状態を示す正面断面図解図である。
【図２２】表紙を折り返した状態における断面図解図である。
【図２３】取付部の斜視図解図である。
【図２４】取付部の平面図解図である。
【図２５Ａ】図２４Ａ−Ａ断面図解図である。
【図２５Ｂ】図２４Ｂ−Ｂ断面図解図である。
【図２５Ｃ】図２４Ｃ−Ｃ断面図解図である。
【図２５Ｄ】図２４Ｄ−Ｄ断面図解図である。
【図２６】取付部を表紙に取り付けるための固定具の斜視図解図である。
【図２７】取付部を表紙に取り付けるための固定具の図解図であり、（Ａ）は平面図解図であり、（Ｂ）は正面図解図であり、（Ｃ）は側面図解図である。
【図２８】（Ａ）は図２７（Ａ）のＡ−Ａ断面図解図であり、（Ｂ）は図２７（Ａ）のＢ−Ｂ断面図解図である。
【図２９】表紙の綴じ具固定部の平面図解図である。
【図３０Ａ】表紙の綴じ具固定部に綴じ具の取付部を固定する方法を示す斜視図解図である。
【図３０Ｂ】表紙の綴じ具固定部に綴じ具の取付部を固定する方法を示す斜視図解図である。
【図３０Ｃ】表紙の綴じ具固定部に綴じ具の取付部を固定する方法を示す斜視図解図である。
【図３０Ｄ】表紙の綴じ具固定部に綴じ具の取付部を固定する方法を示す斜視図解図である。
【図３１Ａ】表紙の綴じ具固定部に綴じ具の取付部を固定する方法を示す横断面図解図である。
【図３１Ｂ】表紙の綴じ具固定部に綴じ具の取付部を固定する方法を示す横断面図解図である。
【図３１Ｃ】表紙の綴じ具固定部に綴じ具の取付部を固定する方法を示す縦断面図解図である。
【図３２】綴じ具の説明図である。
【図３３】ファイル・バインダ類の説明図である。
【発明を実施するための形態】
【００１０】
この発明の一実施の形態である綴じ具１０は、ファイル・バインダ類の表紙、特に裏表紙に固定して用いられるに適するリング開閉型綴じ具である。
綴じ具１０は、表紙１２に固定され、綴じ穴が穿設された用箋等の被綴じ物Ｘを、綴じ穴をリング部２６に嵌挿して綴じるための綴じ部材２０を含み、綴じ部材２０はポリプロピレン等の比較的弾力性を有する合成樹脂で一体成形されている。
綴じ部材２０は、長さ方向を有する一対のベース部２２と、前記一対のベース部２２の間の対向する部位において長さ方向に設けられ、前記一対のベース部２２を互いに揺動可能に接続するための薄肉状のヒンジ部２４と、前記ベース部２２の長さ方向において手前側と向こう側とに適宜な間隔をおいて分かれて、前後一対設けられた第１リング部２６ａ及び第２リング部２６ｂからなるリング部２６と、前記一対のベース部２２のうちの一方のベース部２２からのび且つ他方のベース部２２から独立して形成され、ファイル・バインダ類の表紙に取り付け可能に形成される取付部３０とを有する。
そして、綴じ部材２０は、前記一方のベース部２２および前記取付部３０間にかつ前記一対のリング部２６の根元の近傍に形成され、前記一方のベース部２２に対して前記取付部３０を折り曲げ可能にするための折曲部３２を形成されている。
リング状に閉じることが可能なリング部２６は、幅方向において分かれて前記一対のベース部２２を構成する左右の第１ベース部２２ａ及び第２ベース部２２ｂのそれぞれに設けられて対向する左右のハーフリング部からなり、ハーフリング部は、第１リング部２６ａを構成する手前側の第１ハーフリング部２６ａ1及び向こう側の第１ハーフリング部２６ａ2並びに第２リング部２６ｂを構成する手前側の第２ハーフリング部２６ｂ1及び向こう側の第２ハーフリング部２６ｂ2を有し、一対の手前側の第１ハーフリング部２６ａ1及び向こう側の第１ハーフリング部２６ａ2並びに前記一対の手前側の第２ハーフリング部２６ｂ1及び向こう側の第２ハーフリング部２６ｂ2は、それぞれの先端に設けられ、前記幅方向において左右に分かれた一対の手前側の第１ハーフリング部２６ａ1と手前側の第２ハーフリング部２６ｂ1との先端及び向こう側の第１ハーフリング部２６ａ2と向こう側の第２ハーフリング部２６ｂ2との先端を係合して輪環状にするための係合部２８を有する。
更に、綴じ具１０は、前記綴じ部材２０の前記一対のベース部２２間に架け渡して設けられ、前記一対のリング部２６が開く方向に前記一対のベース部２２を付勢するためのばね部材５０を含む。
【００１１】
ベース部２２は、断面方形の角柱棒からなる第１ベース部２２ａと、断面略五角形の角柱状棒からなる第２ベース部２２ｂとにより構成され、第１ベース部２２ａと第２ベース部２２ｂとは並列されている。第１ベース部２２ａは、取付部３０によって裏表紙１４ｂに連結されている。
第２ベース部２２ｂは、第１リング部２６ａと第２リング部２６ｂとを開いたとき、第１ベース部２２ａの平面状下面（表紙１２に接合する面）と略々平行となる平面状下面（表紙１２の面と対向する面）を有し、第１リング部２６ａと第２リング部２６ｂとを閉じたとき、第２ベース部２２ｂの該平面状下面は、表紙１２の表面より離れて、高さ方向において上に向けて上昇し、第１ベース部２２ａの平面状下面と斜行するように構成されている。
【００１２】
ヒンジ部２４は、Ｂ面側（右側）の第１ベース部２２ａの内側上部とＡ面側（左側）の第２ベース部２２ｂの内側上部とを連結する薄肉状連結部で、ベース部２２の長さ方向において、第１リング部２６ａの手前側より第２リング部２６ｂの向こう側に亘って連続して形成されている。
【００１３】
リング部２６は、前記第１ベース部２２ａと第２ベース部２２ｂとにそれぞれ設けられた、ハーフリング部である一対の第１リング部２６ａと第２リング部２６ｂとからなる。
Ｂ面側（右側）の第１リング部２６ａは、正面視略Ｃ字形で断面円形の円柱状であり、第１ベース部２２ａの長さ方向において適宜な間隔をあけて形成された手前側の第１ハーフリング部２６ａ1と向こう側の第１ハーフリング部２６ａ2とを有し、第１ベース部２２ａの外側側面部から上方に向けて、突き出るように設けられている。
Ａ面側（左側）の第２リング部２６ｂは、正面視略Ｌ字形で断面円形の円柱状であり、第２ベース部２２ｂの長さ方向において適宜な間隔をあけて形成された手前側の第２ハーフリング部２６ｂ1と向こう側の第２ハーフリング部２６ｂ2とを有し、第２ベース部２２ｂの斜め外側側面部からやや上方に向けて、突き出るように設けられている。
【００１４】
第１リング部２６ａ及び第２リング部２６ｂは、基部から先端に至るまで略々同一の径の綴杆で構成され、先端の係合部２８は、その軸方向に切り欠かれた断面略Ｌ字型に形成されている。
手前側の第１ハーフリング部２６ａ1の第１係合部２８ａと向こう側の第１ハーフリング部２６ａ2の第１係合部２８ａとは、第２リング部２６ｂをリング部２６の軸方向すなわちベース部２２の長さ方向と直交する方向に向けて移動させて係合を解除することに対応して、先端側に向かうに従って薄くなるように構成され、第２リング部２６ｂの第２係合部２８ｂは、リング部２６の軸方向すなわち、ベース部２２の長さ方向と直交する方向に向けて移動させて係合を解除することに対応して、先端側に向かうに従って細くなるように構成されている。
【００１５】
第１係合部２８ａは、第２係合部２８ｂと接し合う内側面が円滑な平面であり、その中央に係合凹部２８ａ1が穿設されている。
また、第２係合部２８ｂは、第１係合部２８ａと接し合う外側面が円滑な平面であり、その中央に係合凸起２８ｂ1が突設されている。
而して、第１係合部２８ａと第２係合部２８ｂとは、接し合い且つ係合凹部２８ａ1と係合凸起２８ｂ1とが嵌合されて、第１リング部２６ａと第２リング部２６ｂとは密に係合される。
【００１６】
ハーフリング部は、半径に関し種々の大きさに変更でき、Ｄ形状、矩形あるいは多角形の輪環のリング部材を構成することも好ましい。
【００１７】
この実施の形態においては、被綴じ物Ｘである用紙に穿設される綴じ穴は、直径６±０．５ｍｍであるので、それに対応して、リング部２６の綴杆の太さは約直径４ｍｍに設定されており、ベース部２２を構成する第１ベース部２２ａ及び第２ベース部２２ｂの幅及び高さは、リング部２６の綴杆の太さに近い長さに形成されている。第１ベース部２２ａ及び第２ベース部２２ｂは、細く形成されているので、表紙を１８０度開き、折曲部３２を中心にして第１ベース部２２ａと第１取付部３０ａ及び第２取付部３０ｂとの対向する面を開いたときにも、裏表紙１４ｂの表面に載置された被綴じ物Ｘに筆記するときに、被綴じ物Ｘの表面に殆ど凹凸ができることなく、筆記することができる。
【００１８】
係合部２８は、第１リング部２６ａの自由端に形成された第１係合部２８ａと、第２リング部２６ｂの自由端に形成された第２係合部２８ｂとを備える。
第１係合部２８ａは、第１リング部２６ａの内側面、すなわち、手前側の第１ハーフリング部２６ａ1と向こう側の第１ハーフリング部２６ａ2とにおいて対向するように同一の形状に形成されている。
第２係合部２８ｂは、第２リング部２６ｂの外側面、すなわち、手前側の第２ハーフリング部２６ｂ1と向こう側の第２ハーフリング部２６ｂ2とにおいて反対側を向くように形成され、同一の形状に形成されている。
【００１９】
取付部３０は、第１ベース部２２ａの手前側端と向こう側端とに分かれて形成された、手前側の第１取付部３０ａと向こう側の第２取付部３０ｂとを備える。
第１取付部３０ａは、手前側の第１ハーフリング部２６ａ1より手前側であって、第２ベース部２２ｂの手前側端より手前側において第２ベース部２２ｂ側に向けて突き出るように、第１ベース部２２ａの内側縁より突設され、第２取付部３０ｂは、向こう側の第１ハーフリング部２６ａ2より向こう側であって、第２ベース部２２ｂの向こう側端より向こう側において第２ベース部２２ｂ側に向けて突き出るように、第１ベース部２２ａの内側縁より突設されている。
【００２０】
折曲部３２は、第１ベース部２２ａと第１取付部３０ａとの間であって、ヒンジ部２４の延長直線上に形成された、長手方向にのびる薄肉状の第１折曲部３２ａと、第１ベース部２２ａと第２取付部３０ｂとの間であって、ヒンジ部２４の延長直線上に形成された、長手方向にのびる薄肉状の第２折曲部３２ｂとを有する。
更に、折曲部３２は、第２ベース部２２ｂの手前側端縁と第１取付部３０ａの向こう側端縁との間に形成された、第２ベース部２２ｂと第１取付部３０ａとを分離するための第１分割部３２ｃと、第２ベース部２２ｂの向こう側端縁と第２取付部３０ｂの手前側端縁との間に形成された、第２ベース部２２ｂと第２取付部３０ｂとを分離するための第２分割部３２ｄとを備える。
第１分割部３２ｃ及び第２分割部３２ｄは、第２ベース部２２ｂの外側端縁より内側に向けて延び、ヒンジ部２４に至るスリット状に形成されている。
而して、第１ベース部２２ａ及び第２ベース部２２ｂと第１取付部３０ａ及び第２取付部３０ｂとは、第１リング部２６ａと第２リング部２６ｂとを閉じた状態において、第１折曲部３２ａ及び第２折曲部３２ｂを枢軸として枢動して第１取付部３０ａ及び第２取付部３０ｂと第１ベース部２２ａと対向する面を開いて、第１取付部３０ａ及び第２取付部３０ｂを、第１ベース部２２ａ及び第２ベース部２２ｂから引き離すことができる。
【００２１】
ストッパ部３４は、第１ベース部２２ａ及び第２ベース部２２ｂの手前側と向こう側とに分かれて形成され、第１ベース部２２ａ側の第１ストッパ部３４ａと第２ベース部２２ｂ側の第２ストッパ部３４ｂとにより協動して、第１リング部２６ａと第２リング部２６ｂが係合部２８で合わず、第１リング部２６ａの第１係合部２８ａが第２リング部２６ｂの第２係合部２８ｂを通り越して、第１リング部２６ａの第１係合部２８ａが第２リング部２６ｂと係合しないことを防ぎ、第１係合部２８ａと第２係合部２８ｂとが密に嵌合するように構成されている。
第１ストッパ部３４ａは、第１ベース部２２ａの上面より上方に向けて突設された山型で、第２ストッパ部３４ｂは、第２ベース部２２ｂの上面より上方に向けて突設された山型であり、第１ストッパ部３４ａの内側斜面と第２ストッパ部３４ｂの内側斜面とが対向して、リング部２６を開いたときに、第１ストッパ部３４ａの内側斜面と第２ストッパ部３４ｂの内側斜面とが離れ、リング部２６を閉じたときに、第１ストッパ部３４ａの内側斜面と第２ストッパ部３４ｂの内側斜面とが密着するように構成されている。
【００２２】
ばね部材５０は、細長い弾性を有するピアノ線からなり、ヒンジ部２４に沿って直線状にのびる長さ方向を有する枢軸部５２と、前記枢軸部５２の両端に突設された固定腕部５４とを備える。
固定腕部５４は、枢軸部５２の手前側に突設された第１固定腕部５４ａと、枢軸部５２の向こう側に突設された第２固定腕部５４ｂとからなり、第１固定腕部５４ａは、第１ベース部２２ａ側に向けて枢軸部５２との間において平面視約４５度の角度を有して折曲され、第２固定腕部５４ｂは、第２ベース部２２ｂ側に向けて枢軸部５２との間において平面視約４５度の角度を有して折曲されている。第１固定腕部５４ａは、長手方向において向こう側にのび、第２固定腕部５４ｂは、長手方向において手前側にのびている。
このような平面視約４５度の角度としたのは、第１固定腕部５４ａ及び第２固定腕部５４ｂをより長くして、第１ベース部２２ａ及び第２ベース部２２ｂに固定するためである。
又、第１固定腕部５４ａ及び第２固定腕部５４ｂは、枢軸部５２を中心にして、正面視約１１０度の角度を有して、折曲されている。
【００２３】
第１固定腕部５４ａは、第１ベース部２２ａの高さ方向において上の面に凹設された第１固定凹部３６ａに嵌装され、第２固定腕部５４ｂは、第２ベース部２２ｂの高さ方向において上の面に凹設された第２固定凹部３６ｂに嵌装されている。
第１固定腕部５４ａと、第２固定腕部５４ｂとは、図１７（Ａ）（Ｂ）（Ｃ）において示すように、外力をかけない状態においては、正面視約１１０度の角度を有している。そして、第１ベース部２２ａの第１固定凹部３６ａに第１固定腕部５４ａを固定し且つ第２ベース部２２ｂの第２固定凹部３６ｂに第２固定腕部５４ｂを固定するときには、リング部２６が開いた状態において第１固定腕部５４ａと第２固定腕部５４ｂとは、図１７（Ｃ）二点鎖線で示すように、正面視約１８０度まで開いて固定する。そして、リング部２６が閉じた状態においては、図１７（Ｄ）において示すように、第１固定腕部５４ａと第２固定腕部５４ｂとは、正面視約１４５度の角度まで捩られて、第１ベース部２２ａ及び第２ベース部２２ｂを付勢するように構成されている。
【００２４】
第１固定凹部３６ａは、第１ベース部２２ａの上面に凹設されて、上部が開放され、第２固定凹部３６ｂは、第２ベース部２２ｂの上面に凹設されて、高さ方向において上部が開放されている。
第１固定凹部３６ａの内側には、ばね部材５０の枢軸部５２を固定するための第１枢軸固定部３８ａが形成され、第２固定凹部３６ｂの内側には、ばね部材５０の枢軸部５２を固定するための第２枢軸固定部３８ｂが形成されている。
第１枢軸固定部３８ａは、ヒンジ部２４に平行にのびる第１枢軸固定凹部３８ａ1を凹設され、第２枢軸固定部３８ｂは、ヒンジ部２４に平行にのびる第２枢軸固定凹部３８ｂ1を凹設されている。
第１枢軸固定凹部３８ａ1は、断面半円形で高さ方向において下方に開口部を備え、第２枢軸固定凹部３８ｂ1は、断面半円形で高さ方向において下方に開口部を備えている。
第１固定凹部３６ａは、第１枢軸固定凹部３８ａ1と平面視略４５度の角度をもって連結され、第２固定凹部３６ｂは、第２枢軸固定凹部３８ｂ1と平面視略４５度の角度をもって連結されている。
第１固定凹部３６ａは、長手方向において向こう側にのび、第２固定凹部３６ｂは、長手方向において手前側にのびている。
ばね部材５０は、第１固定腕部５４ａの近傍の枢軸部５２が第１枢軸固定凹部３８ａ1に、下側の開口部より緩挿されて固定され、且つ第２固定腕部５４ｂの近傍の枢軸部５２が第２枢軸固定凹部３８ｂ1に、下側の開口部より緩挿されて固定されて、第１ベース部２２ａ及び第２ベース部２２ｂに固定されている。
【００２５】
第１枢軸固定部３８ａ及び第２枢軸固定部３８ｂは、ヒンジ部２４にばね部材５０の弾性により引き離す力を加えないように、ヒンジ部２４を保護するための保護部を構成している。
【００２６】
取付部３０は、ファイル・バインダ類の表紙１２、特に綴じ具１０に綴じられた用紙等の被綴じ物Ｘの表面に筆記する側であるＢ面側に固定されている。
この実施の形態の取付部３０は、第１取付部３０ａ及び第２取付部３０ｂにおける表紙１２の取り付け面側に接し合う底面に、固定凸起３０ａ1及び固定凸起３０ｂ1が突設されている。
【００２７】
この綴じ具１０が固定される表紙１２は、表表紙１４ａと裏表紙１４ｂと、表表紙１４ａと裏表紙１４ｂとの間において表表紙１４ａ及び裏表紙１４ｂに開閉自在に連設される背表紙１４ｃを備える。
表表紙１４ａ及び裏表紙１４ｂは、背表紙１４ｃの表表紙１４ａ寄りに開閉用の表側折曲部１６ａを備え且つ背表紙１４ｃの裏表紙１４ｂ寄りに開閉用の裏側折曲部１６ｂを備える。
また、裏側折曲部１６ｂと第１取付部３０ａ及び第２取付部３０ｂの幅よりも長い間隔をあけて、裏側折曲部１６ｂと平行に長手方向にのびる直線上の反転折曲部１６ｃが形成されている。
【００２８】
裏表紙１４ｂは、裏側折曲部１６ｂの近傍において、背表紙１４ｃ，表側折曲部１６ａ及び裏側折曲部１６ｂと平行に、一対の綴じ具１０を固定するための綴じ具固定部１４ｂ1を備えている。
綴じ具固定部１４ｂ1は、裏側折曲部１６ｂと反転折曲部１６ｃとの間に形成された平面長方形状領域であり、第１取付部３０ａの固定凸起３０ａ1を嵌入するための綴じ具固定孔１４ｂ2と、前記綴じ具固定孔１４ｂ2と適宜な間隔をあけて形成された、第２取付部３０ｂの固定凸起３０ｂ1を嵌入するための綴じ具固定孔１４ｂ3が穿設されている。
一方、取付部３０の固定凸起３０ａ1と固定凸起３０ｂ1とは、綴じ具１０が表紙１２の綴じ具固定部１４ｂ1の長手方向にのびるように、第１ベース部２２ａ及び第２ベース部２２ｂと平行線Ｌ2上において間隔をおいて形成されている。そして、取付部３０の固定凸起３０ａ1と固定凸起３０ｂ1とは、綴じ部材２０の第１折曲部３２ａと第２折曲部３２ｂとが表紙１２の反転折曲部１６ｃに沿うようにできる位置に形成されている。
綴じ具固定孔１４ｂ2と綴じ具固定孔１４ｂ3とは、反転折曲部１６ｃと平行に、綴じ具固定部１４ｂ1の中央線Ｌ1上において、長手方向に適宜な間隔をおいて綴じ具固定部１４ｂ1に穿設されている。
而して、綴じ部材２０の直線状の第１折曲部３２ａ及び直線状の第２折曲部３２ｂを、直線上の反転折曲部１６ｃに沿わせて、第１取付部３０ａの固定凸起３０ａ1を綴じ具固定孔１４ｂ2に嵌入し且つ第２取付部３０ｂの固定凸起３０ｂ1を綴じ具固定孔１４ｂ3に嵌入して、固定凸起３０ａ1及び固定凸起３０ｂ1の先端を熱溶融させて綴じ具固定部１４ｂ1の外側表面を被覆するようにして、綴じ部材２０を表紙１２に取り付ける。
【００２９】
リング部２６の基部と頂部との間の長さ（すなわち第１リング部２６ａ及び第２リング部２６ｂの高さ）は、背表紙１４ｃの背幅と略同等もしくはわずかに長く形成されている。表表紙１４ａの接し合う部分に貫通孔からなる綴じ具嵌挿孔１８ａ及び綴じ具嵌挿孔１８ｂが穿設されている。
而して、リング部２６は、綴じ具嵌挿孔１８ａ及び綴じ具嵌挿孔１８ｂに嵌挿されることにより、第２リング部２６ｂの長さ方向への移動を規制されて、リング部２６が不用意に開くことがない。
【００３０】
次に、この綴じ具の作動について、主として図１４及び図１８ないし図２２に基づいて説明する。
この綴じ具１０は、リング部２６が閉じられたリング状を形成しているときに、第２係合部２８ｂの係合凸起２８ｂ1が第１係合部２８ａの係合凹部２８ａ1に嵌合している。
そして、係合凹部２８ａ1の先端側の垂直壁は、係合凸起２８ｂ1の基部側の垂直壁に係止され、第２リング部２６ｂを第１リング部２６ａから引き離す方向に直交するように形成された前記垂直壁によって第１リング部２６ａ及び第２リング部２６ｂが不用意に開くことがない。
【００３１】
次に、この綴じ具１０は、閉じられているリング部２６を開くときには、例えば、親指と人差指で手前側の第２ハーフリング部２６ｂ1と向こう側の第２ハーフリング部２６ｂ2とを摘み、手前側の第２ハーフリング部２６ｂ1と向こう側の第２ハーフリング部２６ｂ2とを近づけるように撓めることにより第１リング部２６ａと第２リング部２６ｂとを引き離し、手前側の第２ハーフリング部２６ｂ1及び向こう側の第２ハーフリング部２６ｂ2を枢動させることにより、第１係合部２８ａと第２係合部２８ｂとの係合が解除される。
【００３２】
取付部３０は、図２３ないし図３１に示すような取付部１３０に変更してもよい。
この取付部１３０は、表紙１２に穿設された綴じ具固定孔１４ｂ2及び綴じ具固定孔１４ｂ3に嵌入された固定具１６０に嵌合されて、表紙１２の綴じ具固定部１４ｂ1に固定されるように構成されている。
【００３３】
この発明の実施の形態である綴じ具１０の取付部１３０は、手前側の第１取付部１３０ａと、向こう側の第２取付部１３０ｂとを備える。
第１取付部１３０ａは、後述する固定具１６０を嵌入するための固定具固定孔１３０ａ1を有し、該固定具固定孔１３０ａ1の中に、取付部１３０を表紙１２の綴じ具固定孔１４ｂ2及び綴じ具固定孔１４ｂ3に嵌入された固定具１６０に嵌合する方向（この実施の形態においては手前側）に向けてのびる、左右一対の固定爪１３０ａ2及び固定爪１３０ａ3が形成されている。
左側の固定爪１３０ａ2と右側の固定爪１３０ａ3とは、略平行に向こう側から手前側に向けて突設された角柱状体であり、弾力性を有している。そして、固定爪１３０ａ2の先端には、固定具固定孔１３０ａ1の内側に向けて膨らむ係合頭部１３０ａ4が突設され、且つ固定爪１３０ａ3の先端にも、固定具固定孔１３０ａ1の内側に向けて膨らむ係合頭部１３０ａ5が突設されている。
第２取付部１３０ｂは、前記第１取付部１３０ａと同一の構造を備えており、後述する固定具１６０を嵌入するための固定具固定孔１３０ｂ1を有し、該固定具固定孔１３０ｂ1の中に、取付部１３０を表紙１２の綴じ具固定孔１４ｂ2及び綴じ具固定孔１４ｂ3に嵌入された固定具１６０に嵌合する方向（この実施の形態においては手前側）に向けてのびる、左右一対の固定爪１３０ｂ2及び固定爪１３０ｂ3が形成されている。
左側の固定爪１３０ｂ2と右側の固定爪１３０ｂ3とは、略平行ないしは自由端に向かうに従ってややその間隔を狭める斜行に向こう側から手前側に向けて突設された角柱状体であり、弾力性を有している。そして、固定爪１３０ｂ2の先端には、固定具固定孔１３０ｂ1の内側に向けて膨らむ係合頭部１３０ｂ4が突設され、且つ固定爪１３０ｂ3の先端にも、固定具固定孔１３０ｂ1の内側に向けて膨らむ係合頭部１３０ｂ5が突設されている。
【００３４】
固定爪１３０ａ2及び固定爪１３０ｂ2と固定爪１３０ａ3及び固定爪１３０ｂ3とは左右対称で略同一の形状に形成されている。
また、係合頭部１３０ａ4及び係合頭部１３０ｂ4と係合頭部１３０ａ5及び係合頭部１３０ｂ5とは左右対称で略同一の形状に形成されている。
取付部１３０は、固定具１６０に嵌入するときに、初期的に固定具１６０を嵌挿させるための待機部１３０ｃが固定具固定孔１３０ａ1及び固定具固定孔１３０ｂ1の手前側に穿設されている。待機部１３０ｃは、高さ方向において下の開口部から上に向けて凹み、固定具１６０の高さより若干高く、固定具１６０を嵌入するための長さと幅を備える空間を有している。
【００３５】
固定具１６０は、平面視方形の接合平板部１６２と、該接合平板部１６２の略中央において突設された固定凸部１６４とを、ポリプロピレン等の合成樹脂で一体成形してなる。
固定凸部１６４は、左右側面に、前記取付部１３０の左側の固定爪１３０ａ2及び固定爪１３０ｂ2並びに取付部１３０の右側の固定爪１３０ａ3及び固定爪１３０ｂ3を嵌入させるための左側の嵌入凹溝１６６ａ1及び右側の嵌入凹溝１６６ａ2を形成されており、嵌入凹溝１６６ａ1と嵌入凹溝１６６ａ2とは、左右対称に形成されており、略同一の形状を備えている。
固定凸部１６４は、左側の嵌入凹溝１６６ａ1及び右側の嵌入凹溝１６６ａ2の手前側に、前記取付部１３０の左側の係合頭部１３０ａ4及び右側の係合頭部１３０ａ5が嵌入されるための左側の係合凹部１６８ａ1及び右側の係合凹部１６８ａ2を形成されている。係合凹部１６８ａ1及び係合凹部１６８ａ2は、左右対称に形成され略同一の形状を備えており、嵌入凹溝１６６ａ2及び嵌入凹溝１６６ａ2の溝底よりも更に深く、内に向けて凹設されている。
【００３６】
表紙１２は、表表紙１４ａ，裏表紙１４ｂ及び背表紙１４ｃを備えており、表表紙１４ａ及び裏表紙１４ｂは、背表紙１４ｃの表表紙１４ａ寄りに開閉用の表側折曲部１６ａを備え且つ背表紙１４ｃの裏表紙１４ｂ寄りに開閉用の裏側折曲部１６ｂを備える。
また、裏側折曲部１６ｂとの間に、第１取付部３０ａ及び第２取付部３０ｂの幅よりも長い間隔をあけて、裏側折曲部１６ｂと平行に長手方向にのびる直線上の反転折曲部１６ｃが形成されている。
綴じ具固定孔１４ｂ2と綴じ具固定孔１４ｂ3とは、反転折曲部１６ｃと平行に、綴じ具固定部１４ｂ1の略中央線Ｌ1上において、長手方向に適宜な間隔をおいて綴じ具固定部１４ｂ1に穿設されている。
表紙１２の綴じ具固定部１４ｂ1の綴じ具固定孔１４ｂ2及び綴じ具固定孔１４ｂ3は、固定具１６０の固定凸部１６４に近い形状の開口部を有している。
特に、綴じ具固定孔１４ｂ2及び綴じ具固定孔１４ｂ3の開口部の幅は、固定具１６０の嵌入凹溝１６６ａ1の溝底と嵌入凹溝１６６ａ2の溝底との間隔に略々近い幅に形成されているために、綴じ具固定孔１４ｂ2及び綴じ具固定孔１４ｂ3は、固定具１６０の固定凸部１６４の最も上部の幅の広い部位も嵌入できるように、開口部の左側及び右側の口縁より内側に向けて、左右一対のスリット１４ｂ4が穿設されている。而して、固定具１６０の固定凸部１６４を綴じ具固定孔１４ｂ2及び綴じ具固定孔１４ｂ3に嵌入させるときに、スリット１４ｂ4が若干分かれて開き、綴じ具固定孔１４ｂ2及び綴じ具固定孔１４ｂ3の開口部が固定具１６０の固定凸部１６４を嵌入できるようにわずかに広く拡開するように構成されている。
【００３７】
取付部１３０を表紙１２の綴じ具固定部１４ｂ1に固定する方法について、次に説明する。
まず、綴じ具固定部１４ｂ1の綴じ具固定孔１４ｂ2及び綴じ具固定孔１４ｂ3の中に、固定具１６０の固定凸部１６４を嵌入させ、接合平板部１６２の上面を表紙１２の綴じ具固定部１４ｂ1の表面に当接させ、次に、固定凸部１６４の上側から取付部１３０を綴じ具固定部１４ｂ1の内側面に載置させ、取付部１３０の待機部１３０ｃに固定凸部１６４を嵌挿させる。
次に、第１取付部１３０ａの係合頭部１３０ａ4及び係合頭部１３０ａ5を固定具１６０の嵌入凹溝１６６ａ1及び嵌入凹溝１６６ａ2の向こう側端にあてがい、嵌入凹溝１６６ａ1及び嵌入凹溝１６６ａ2に沿って手前側にスライド移動させて、取付部１３０の固定爪１３０ａ2及び固定爪１３０ａ3を嵌入凹溝１６６ａ1及び嵌入凹溝１６６ａ2に嵌め込む。
そして、取付部１３０の係合頭部１３０ａ4及び係合頭部１３０ａ5が固定具１６０の係合凹部１６８ａ1及び係合凹部１６８ａ2に嵌入する迄、取付部１３０をスライド移動させる。
第２取付部１３０ｂも第１取付部１３０ａと同様に固定具１６０に固定する。
【００３８】
第１取付部１３０ａと第２取付部１３０ｂとは、第１折曲部３２ａ及び第２折曲部３２ｂを表紙１２の反転折曲部１６ｃに沿って固定できるように、第１ベース部２２ａと平行な線Ｌ2上に適宜な間隔をおいて手前側と向こう側とに分かれて形成されている。また、第１取付部１３０ａと第２取付部１３０ｂとは、幅方向において、第１折曲部３２ａ及び第２折曲部３２ｂを表紙１２の反転折曲部１６ｃに沿って固定できる位置に形成されている。
而して、取付部１３０の固定爪１３０ａ2，固定爪１３０ａ3，固定爪１３０ｂ2及び固定爪１３０ｂ3の弾性と取付部１３０の係合頭部１３０ａ4，係合頭部１３０ａ5，係合頭部１３０ｂ4及び係合頭部１３０ｂ5の作用により、固定具１６０の接合平板部１６２の上面と取付部１３０の下面との間に、表紙１２の綴じ具固定部１４ｂ1を挟着して、第１ベース部２２ａ及び第２ベース部２２ｂが表紙１２の綴じ具固定部１４ｂ1において反転折曲部１６ｃに略平行に長手方向にのび、第１折曲部３２ａ及び第２折曲部３２ｂが表紙１２の反転折曲部１６ｃに位置して第１取付部１３０ａ及び第２取付部１３０ｂが表紙１２の綴じ具固定部１４ｂ1に固定される。
【００３９】
そして、図２２に示すように、表表紙１４ａ及び背表紙１４ｃを反転折曲部１６ｃにおいて裏表紙１４ｂの下側に向けて折り返すと、綴じ具１０は折曲部３２を中心にして第１ベース部２２ａと第１取付部３０ａ及び第２取付部３０ｂとの対向する面を開かれる。
このとき、第１ベース部２２ａ及び第２ベース部２２ｂは、細く形成されているので、表紙を１８０度開き、折曲部３２を中心にして第１ベース部２２ａと第１取付部１３０ａ及び第２取付部１３０ｂとの対向する面を開いたときにも、裏表紙１４ｂの表面に載置された被綴じ物Ｘに筆記するときに、被綴じ物Ｘの表面に殆ど凹凸ができることなく、筆記することができる。
【００４０】
なお、取付部３０は、表紙１２が合成樹脂製などの場合には、取付部３０の底面と表紙１２の表面とを超音波による溶着や接着剤による接着などに代えてもよい。
【産業上の利用可能性】
【００４１】
この発明にかかる綴じ具は、たとえばファイル・バインダ類の綴じ具に適用できる。
【符号の説明】
【００４２】
１０  綴じ具
１２  表紙
１４ａ  表表紙
１４ｂ  裏表紙
１４ｂ1  綴じ具固定部
１４ｂ2，１４ｂ3  綴じ具固定孔
１４ｂ4  スリット
１４ｃ  背表紙
１６ａ  表側折曲部
１６ｂ  裏側折曲部
１６ｃ  反転折曲部
１８ａ，１８ｂ  綴じ具嵌挿孔
２０  綴じ部材
２２  ベース部
２２ａ  第１ベース部
２２ｂ  第２ベース部
２４  ヒンジ部
２６  リング部
２６ａ  第１リング部
２６ａ1  手前側の第１ハーフリング部
２６ａ2  向こう側の第１ハーフリング部
２６ｂ  第２リング部
２６ｂ1  手前側の第２ハーフリング部
２６ｂ2  向こう側の第２ハーフリング部
２８  係合部
２８ａ  第１係合部
２８ａ1  係合凹部
２８ｂ  第２係合部
２８ｂ1  係合凸起
３０，１３０  取付部
３０ａ，１３０ａ  第１取付部
３０ａ1  固定凸起
３０ｂ，１３０ｂ  第２取付部
３０ｂ1  固定凸起
３２  折曲部
３２ａ  第１折曲部
３２ｂ  第２折曲部
３２ｃ  第１分割部
３２ｄ  第２分割部
３４  ストッパ部
３４ａ  第１ストッパ部
３４ｂ  第２ストッパ部
３６  固定凹部
３６ａ  第１固定凹部
３６ｂ  第２固定凹部
３８  枢軸固定凹部
３８ａ  第１枢軸固定部
３８ａ1  第１枢軸固定凹部
３８ｂ  第２枢軸固定部
３８ｂ1  第２枢軸固定凹部
５０  ばね部材
５２  枢軸部
５４  固定腕部
５４ａ  第１固定腕部
５４ｂ  第２固定腕部
１３０ａ1，１３０ｂ1  固定具固定孔
１３０ａ2，１３０ａ3，１３０ｂ2，１３０ｂ3  固定爪
１３０ａ4，１３０ｂ4，１３０ａ5，１３０ｂ5  係合頭部
１３０ｃ  待機部
１６０  固定具
１６２  接合平板部
１６４  固定凸部
１６６ａ1，１６６ａ2  嵌入凹溝
１６８ａ1，１６８ａ2  係合凹部
Ｘ  被綴じ物
【図１】
0005138749.tif 000002
【図２】
0005138749.tif 000003
【図３】
0005138749.tif 000004
【図４】
0005138749.tif 000005
【図５】
0005138749.tif 000006
【図６】
0005138749.tif 000007
【図７】
0005138749.tif 000008
【図８】
0005138749.tif 000009
【図９Ａ】
0005138749.tif 000010
【図９Ｂ】
0005138749.tif 000011
【図１０】
0005138749.tif 000012
【図１１】
0005138749.tif 000013
【図１２】
0005138749.tif 000014
【図１３】
0005138749.tif 000015
【図１４】
0005138749.tif 000016
【図１５】
0005138749.tif 000017
【図１６】
0005138749.tif 000018
【図１７】
0005138749.tif 000019
【図１８】
0005138749.tif 000020
【図１９】
0005138749.tif 000021
【図２０】
0005138749.tif 000022
【図２１】
0005138749.tif 000023
【図２２】
0005138749.tif 000024
【図２３】
0005138749.tif 000025
【図２４】
0005138749.tif 000026
【図２５Ａ】
0005138749.tif 000027
【図２５Ｂ】
0005138749.tif 000028
【図２５Ｃ】
0005138749.tif 000029
【図２５Ｄ】
0005138749.tif 000030
【図２６】
0005138749.tif 000031
【図２７】
0005138749.tif 000032
【図２８】
0005138749.tif 000033
【図２９】
0005138749.tif 000034
【図３０Ａ】
0005138749.tif 000035
【図３０Ｂ】
0005138749.tif 000036
【図３０Ｃ】
0005138749.tif 000037
【図３０Ｄ】
0005138749.tif 000038
【図３１Ａ】
0005138749.tif 000039
【図３１Ｂ】
0005138749.tif 000040
【図３１Ｃ】
0005138749.tif 000041
【図３２】
0005138749.tif 000042
【図３３】
0005138749.tif 000043